(57)【要約】【課題】ガスコンロ、ＩＨクッキングヒータ等のグリル庫内に置かれる掃除容易な調理用焼き網を提供する。【解決手段】焼き網１は、奥行方向に対して２つに分割可能な同一形状の網部材１Ａ，１Ｂにより構成されている。網部材１Ａ，１Ｂはともに金属製丸棒から成り、略「コの字」形状の外枠部１ａと、左右の外枠部１ａを架橋する複数の網部１ｂと、外枠部１ａの奥行方向端部に突出して付設される一対の挟持部１ｃと、により構成されている。網部材１Ａの外枠部１ａの両端接合部１ｄは、孔部１ｆを備えた鞘形状に構成されており、孔部１ｆに網部材１Ｂの外枠部１ａの端部１ｅを嵌合させて接合することにより、一体の平板状焼き網１を構成する。 【選択図】図１
2014233319.tif 000002
【特許請求の範囲】
【請求項１】
グリル皿上に配置され、グリル庫内に格納される焼き網であって、
それぞれ外枠部と、網部と、接合部と、を有する一対の網部材を備えて成り、かつ、
接合部において、一対の網部材を脱着自在に構成したことを特徴とする焼き網。
【請求項２】
請求項１において、「脱着自在」に替えて、「回動自在」であることを特徴とする焼き網。
【請求項３】
前記焼き網は、前記グリル皿上に載置可能とする脚部を備えて成ることを特徴とする請求項１又は２に記載の焼き網。
【発明の詳細な説明】
【技術分野】
【０００１】
本発明はガスコンロ、ＩＨクッキングヒータ等のグリル庫内に置かれる調理用焼き網に関する。
【背景技術】
【０００２】
従来、グリル庫内の焼き物用調理具として焼き網が多く使われている。このような焼き網は、複数の金属棒を平行に並べて金属外枠に溶接等で接合固定するタイプが一般的である。しかしながら、グリルの繰り返し使用により焼き網に汚れがこびり付く場合があり、こびり付いた汚れは拭き洗い程度では落としにくいという問題がある。
このような汚れ除去のため、洗浄液や水に一定時間浸けておき汚れを浮かせてから洗う方法があるが、グリル内容積の大型化に伴い焼き網のサイズも大型化しており、一般家庭に備え付けの洗い桶には収まらない場合も多く、漬け置き洗いも困難になっている。
【０００３】
上記間題を解決するため、焼き網を分割して構成する技術が提案されている（例えば特許文献１）。同文献の焼き網１００は、図１１に示すように枠体１０２と、枠体１０２に着脱自在に嵌めこまれる複数の分割網体１０１と、により構成され、一体としてグリル皿１０３上に載置するものである。このような焼き網１００によれば、汚れが付着した分割網体１０１を取り外して洗浄を行うことができるため、焼き網の手入れを容易にし、しかもこの網体１０１の一部を食卓の雰囲気に馴染んだ調理皿としても利用できる。
【先行技術文献】
【特許文献】
【０００４】
【特許文献１】特開２００４−２７５３０１号公報
【発明の開示】
【発明が解決しようとする課題】
【０００５】
しかしながら、分割網体１０１自体は洗浄容易ではあるものの、枠体１０２が通常の焼き網と同等の大きさであるため、洗い桶に収めることが困難という問題は解消されない。
【課題を解決するための手段】
【０００６】
本発明は上記課題を解決するためのものであって、掃除容易なグリル庫用の焼き網を提供するものである。本発明に係る焼き網は、
（１）グリル皿上に配置され、グリル庫内に格納される焼き網であって、
それぞれ外枠部と、網部と、接合部と、を有する一対の網部材を備えて成り、かつ、
接合部において、一対の網部材を脱着自在に構成したことを特徴とする。
【０００７】
（２）上記発明において、「脱着自在」に替えて、「回動自在」であることを特徴とする。
【０００８】
（３）上記各発明において、前記焼き網は、前記グリル皿上に載置可能とする脚部を備えて成ることを特徴とする。
【発明の効果】
【０００９】
本発明の焼き網によれば、一対の網部材を分割することにより、一般家庭に常備の洗い桶を用いた漬け置き洗いが可能となるという効果がある。
また、洗浄後に乾燥する際に、洗い籠に重ね置きすることができ、スペースをとらないという効果がある。
また、洗い桶を備えていない家庭であっても、網部材を分割して水を張ったグリル皿に収容して浸け置き洗い可能という効果がある。
また、網部材を束ねる枠体を必要としないため、その分洗浄点数が減り、洗浄時間の短縮、負荷軽減ができるという効果がある。
【図面の簡単な説明】
【００１０】
【図１】第一の実施形態に係る焼き網１の全体構成を示す図である。
【図２】グリルユニット１０の構成を示す展開図である。
【図３】焼き網１の接合部１ｄの詳細構成を示す図である。
【図４】第二の実施形態に係る焼き網２０の構成を示す図である。
【図５】同上のグリル使用時の態様を示す図（側面図）である。
【図６】同上の洗浄時（又は収納時）の態様を示す図である。
【図７】第三の実施形態に係る焼き網３０の構成を示す図である。
【図８】焼き網３０をグリル皿２に載置した状態を示す図である。
【図９】第四の実施形態に係る焼き網４０の構成を示す図である。
【図１０】焼き網４０の接合部４４の詳細構成を示す図である。
【図１１】従来の調理用焼き網１００の構成を示す図である。
【発明を実施するための形態】
【００１１】
以下、本発明に係る焼き網の実施形態について、図１乃至１０を参照してさらに詳細に説明する。なお、重複を避けるため各図において同一構成には同一符号を用いて示している。また、本発明の範囲は特許請求の範囲記載のものであって、以下の実施形態に限定されないことはいうまでもない。
【００１２】
（第一の実施形態）
図１乃至３を参照して、本実施形態に係る焼き網１はグリルユニット１０の構成要素であり、調理物（図示せず）を載置した状態でグリル皿２上に置かれ、グリル庫６内で調理物を加熱するために用いられる。
【００１３】
グリルユニット１０は、焼き網１、グリル皿２、扉部３、皿受け枠体４及びレール５により構成されている。皿受け枠体４は、グリル皿２を嵌合支持する皿支持枠４ａと、焼き網１を嵌合支持する網支持枠４ｂと、皿支持枠４ａ及び網支持枠４ｂを一体固定する固定部４ｃと、により構成されている。なお、同図では奥側の網支持枠４ｂ、固定部４ｃのみ示されているが、前面側（扉部３の背面）にも同一形状の網支持枠４ｂ、固定部４ｃを備えている。
【００１４】
皿受け枠体４は扉部３に、また、扉部３はレール５に、それぞれ着脱自在に固定されており、掃除時には各部を分解できるように構成されている。レール５は、グリル使用時にはグリル庫６内のレールケース（図示せず）に格納されており、前方にスライド可能に構成されている。以上の構成により、把手３ａを持って扉部３を押し引きすることにより、グリルユニット１０全体をグリル庫６に格納又は取り出し可能としている。
【００１５】
図１を参照して焼き網１は、奥行方向に対して２つに分割可能な同一形状の網部材１Ａ，１Ｂにより構成されている。網部材１Ａ，１Ｂはともに金属製丸棒から成り、略「コの字」形状の外枠部１ａと、左右の外枠部１ａを架橋する複数の網部１ｂと、外枠部１ａの奥行方向端部に突出して付設される一対の挟持部１ｃと、により構成されている。
網部１ｂは、正面方向からみて両端部近傍が屈曲しており、中央部が外枠部１ａと比較して低く形成されており、載置した調理物を安定的に保持できるように構成されている。
図３を参照して、網部材１Ａの外枠部１ａの両端接合部１ｄは、孔部１ｆを備えた鞘形状に構成されており、孔部１ｆに網部材１Ｂの外枠部１ａの端部１ｅを嵌合させて接合することにより、一体の平板状焼き網１を構成する。
【００１６】
次に、焼き網１のグリルユニット１０への固定方法について説明する。グリルユニット１０をグリル庫６から引き出した状態で、グリル皿２の側面部２ａを皿受け枠体４の皿支持枠４ａに嵌合させてグリル皿２を固定する。次いで、網部材１Ａ，１Ｂを一体に接合して焼き網１とし、左右の挟持部１ｃの間に網支持枠４ｂを挟むことにより、焼き網１を固定することができる。
【００１７】
なお本実施形態では、ビルトインコンロのグリルユニットに用いる例を示したが、独立のテーブルコンロのグリルユニットに用いる態様としてもよい。
【００１８】
（第二の実施形態）
次に、本発明の他の実施形態について説明する。図４乃至６を参照して、本実施形態に係る焼き網２０が第一の実施形態の焼き網１と異なる点は、接合部の構成である。すなわち本実施形態に係る焼き網２０を構成する網部材２０Ａ、２０Ｂは分割可能ではなく、ヒンジ構造の接合部２１により回動可能に接合されている。ヒンジ構造の接合部２１には、調理時に網部材２０Ａ、２０Ｂを水平状態に保持するための機構（例えばラチェット機構、ストッパー等を取り付けることができる。外枠部２２、網部２３等、その他の構成は焼き網１と同様であるため重複説明を省略する。
【００１９】
かかる構成により焼き網２０においては、調理時には図５に示すように網部材２０Ａ、２０Ｂを直線状に伸ばした状態で用いる。また、洗浄時には図６に示すように、折り畳んだ状態で洗い桶に入れることにより、漬け置き洗いが可能となる。収納時等についても同様である。
【００２０】
（第三の実施形態）
さらに、図７，８を参照して本発明の他の実施形態について説明する。本実施形態に係る焼き網３０が第一の実施形態の焼き網１と異なる点は、網部材３０Ａ、３０Ｂの外枠部３１、３１の奥行方向両端部に脚部３３を備えていることである。その他の構成は接合部３４を含めて焼き網１と同様であるので、重複説明を省略する。
かかる構成により、焼き網３０においては調理時に網支持枠４ｂを挟持固定するのではなく、脚部３３の突起部３３ｂをグリル皿２の端部に設けた差込孔２ｂに差し込んで固定した状態でグリル庫６に格納する。
【００２１】
（第四の実施形態）
さらに、図９，１０を参照して本発明の他の実施形態について説明する。本実施形態に係る焼き網４０が第三の実施形態に係る焼き網３０と異なる点は、接合部の構成である。すなわち、焼き網３０の接合部３４が鞘形状に構成されているのに対して、本実施形態の焼き網４０の接合部４４は、網部材４０Ａ、４０Ｂの外枠部４１ａ、４１ｂの端部にそれぞれフック４４ａ、４４ｂを備えて構成されていることである。その他の構成は焼き網３０と同様であるので、重複説明を省略する。
かかる構成により、焼き網４０においては調理時にフック４４ａ、４４ｂを引っ掛けて接合することにより、焼き網３０と同様の状態でグリル庫６に格納することができる。
【産業上の利用可能性】
【００２２】
本発明は熱源（ガス、電気等）、設置タイプ（ビルトイン設置、卓上設置等）を問わず、グリル庫を有する加熱調理器の焼き網として広く利用可能である。
【符号の説明】
【００２３】
１、２０、３０、４０・・・・焼き網
１Ａ、１Ｂ、２０Ａ、２０Ｂ、３０Ａ、３０Ｂ、４０Ａ、４０Ｂ・・・・網部材
１ａ、２２、３１・・・・外枠部
１ｂ、２３、３２・・・・網部
１ｄ、２１、３４、４４・・・・接合部
２・・・・グリル皿
３・・・・扉部
４・・・・皿受け枠体
６・・・・グリル庫
１０・・・グリルユニット
３３・・・脚部
【図１】
2014233319.tif 000003
【図２】
2014233319.tif 000004
【図３】
2014233319.tif 000005
【図４】
2014233319.tif 000006
【図５】
2014233319.tif 000007
【図６】
2014233319.tif 000008
【図７】
2014233319.tif 000009
【図８】
2014233319.tif 000010
【図９】
2014233319.tif 000011
【図１０】
2014233319.tif 000012
【図１１】
2014233319.tif 000013